(57)【要約】      （修正有）【課題】縦横が２倍以上の伸縮率で伸縮するので装着感が良好であり、かつ二重構造を有していて継ぎ目なしに編み込まれているので、表裏をひっくり返し、リバーシブルな使用ができるニット製帽子を提供する。【解決手段】帽子体は、１枚の編み糸により形成された二つの帽状部が頂部側において互いに固定されている反転可能な二重構造であって、編み生地が極めて伸縮性の高い編み糸により形成されていることを特徴とし、編み糸が、ストレッチ素材により形成され、編み生地が、ストレッチ素材からなる編み糸を用いた天竺編みによって形成され、編み生地が、１本の糸で外表Ａ、外裏Ｂ、内表Ｃ、内裏Ｄと４重になるよう天竺網みにより編み上げられていることを特徴とするニット製帽子。【選択図】図１
0003128282.tif 000002
【実用新案登録請求の範囲】
【請求項１】
帽子体は、１枚の編み糸により形成された二つの帽状部が頂部側において互いに固定されている反転可能な二重構造であって、編み生地が極めて伸縮性の高い編み糸により形成されていることを特徴とするニット製帽子。
【請求項２】
編み糸が、ストレッチ素材により形成されていることを特徴とする請求項１に記載のニット製帽子。
【請求項３】
編み生地が、ストレッチ素材からなる編み糸を用いた天竺編みによって形成されていることを特徴とする請求項１に記載のニット製帽子。
【請求項４】
編み生地が、１本の糸で外表Ａ、外裏Ｂ、内表Ｃ、内裏Ｄと４重になるよう天竺網みにより編み上げられていることを特徴とする請求項１に記載のニット製帽子。
【考案の詳細な説明】
【技術分野】
【０００１】
この考案は、縦横が２倍以上の伸縮率で伸縮するので装着感が良好であり、かつ二重構造を有していて継ぎ目なしに編み込まれているので、表裏をひっくり返し、いわゆるリバーシブルな使用ができるニット製帽子に関する。
【背景技術】
【０００２】
例えば、従来のニット製帽子は、表裏の状態が画然としていて、裏側のフアッションを考慮したものではなかった。そこで、登録実用新案第３０５７１７１号公報（特許文献１参照）において、帽子を１枚の編み生地により形成されたリバーシブルな二重帽構造にして、趣向性の異なる２種類の帽子の使用が可能であり、１個の帽子で２個分のおしゃれを楽しめることができるように改良したニット製帽子が提案されている。
【特許文献１】登録実用新案第３０５７１７１号公報
【考案の開示】
【考案が解決しようとする課題】
【０００３】
しかしながら、登録実用新案第３０５７１７１号公報（特許文献１参照）では、帽子を１枚の編み生地により形成されたリバーシブルな二重帽構造にして、趣向性の異なる２種類の帽子の使用が可能なニット製帽子が提案されているが、装着感に不満があり、しかも縫い合わせ個所の存在によって美観が損なわれてしまうという問題があった。
そこでこの考案は、縦横が２倍以上の伸縮率で伸縮するので装着感が良好であり、かつ二重構造を有していて継ぎ目なしに編み込まれているので、表裏をひっくり返し、いわゆるリバーシブルな使用ができるニット製帽子を提供しようとするものである。
【課題を解決するための手段】
【０００４】
上記目的を達成するために、この考案のニット製帽子において、帽子体は、１枚の編み糸により形成された二つの帽状部が頂部側において互いに固定されている反転可能な二重構造であって、編み生地が極めて伸縮性の高い編み糸により形成されていることを特徴とするものである。
【０００５】
この考案のニット製帽子は、上記編み糸が、ストレッチ素材により形成されていることをも特徴とするものである。
【０００６】
この考案のニット製帽子は、上記編み生地が、ストレッチ素材からなる編み糸を用いた天竺編みによって形成されていることをも特徴とするものである。
【０００７】
この考案のニット製帽子は、上記編み生地が、１本の糸で外表Ａ、外裏Ｂ、内表Ｃ、内裏Ｄと４重になるよう天竺網みにより編み上げられていることをも特徴とするものである。
【考案の効果】
【０００８】
この考案は以上のように構成したことにより、縦横が２倍以上の伸縮率で伸縮するので装着感が良好であり、かつ二重構造を有していて継ぎ目なしに編み込まれているので、表裏をひっくり返し、いわゆるリバーシブルな使用ができるニット製帽子を得ることが可能となった。
【考案を実施するための最良の形態】
【０００９】
以下に、この考案の実施の形態を図面を参照しながら説明する。
図１はこの考案のニット製帽子の１実施例を示す斜視図、図２は編み順を示す概略説明図である。
図１において、帽子体１１は、１枚の編み生地により形成された二つの帽状部１２，１３が頂部１４側において互いに固定されている反転可能な二重構造からなっている。そして、上記編み生地は極めて伸縮性の高いストレッチ素材もしくはストレッチ素材を用いた天竺編みにより形成されている。
【００１０】
上記編み生地の基礎となる糸素材としては、毛糸、綿糸、合成糸が用いられ、この基礎となる糸素材にポリウレタン糸を添糸編みすることにより、編み糸をストレッチ素材により形成することができる。
このようなストレッチ素材の例としては、梳毛バルキータイプの素材、例えばサーミックセレクト（商品名  東レ株式会社製）１／２７（染毛番手）と、ポリウレタン弾性繊維のカバーリングヤーン素材、例えばマルロン２０００（商品名  丸一産業株式会社製）とのプレーティング編みのものが使用可能である。
上記サーミックセレクトの原糸の使用比率は次の通りである。
アクリル繊維          ８０％
ナイロン繊維          １５％
ウール                  ５％
また、上記マルロンの原糸の使用比率は次の通りである。
ナイロン繊維          ９２％
ポリウレタン弾性繊維    ８％
上記サーミック糸およびマルロン糸のプレーティング編み（添え糸）の組合せは次の通りである。
サーミック糸  ３本：マルロン糸  １本
サーミック糸  ２本：マルロン糸  １本
サーミック糸  ４本：マルロン糸  １本
【００１１】
なお、上記編み生地として、上述のストレッチ素材を用いた天竺編みによって形成することができる。
上記サーミック糸およびマルロン糸のプレーティング編みに際し、１本の糸で図２に示す編み順により天竺編みしている。
すなわち、１本の糸で外表Ａ、外裏Ｂ、内表Ｃ、内裏Ｄと４重になるよう天竺網みにより編み上げて、帽子体１１を帽子状に成形している。
【００１２】
以上のように、１本の糸で袋編みしていて二重の層に成形されているので、中に空気の層ができて、得た帽子は保温性に富み、着用時には大変暖かく感じることができる。
また、サーミック糸とマルロン糸との組合せからなるストレッチ素材を使用しているので、着用時の感触（タッチ）が非常に柔らかく、また圧迫感がなく爽やかに着用することができる。
また１本の糸から継ぎ目なく編み上げられているので非常に伸縮性がよく、大人から子供までフリーサイズで使用することが可能である
さらに、１本の糸から継ぎ目なく編み上げられているので縫い目がなく、したがって着用時にごろつき感がないので違和感なく使用することができる。
【産業上の利用可能性】
【００１３】
この考案は以上のように構成したので、防寒用の帽子や、スキー帽をはじめとして各般のニット製帽子に適用して有効である。また、１枚に編み上げた編み生地から製造できるため、コストダウンできる経済性もある。
【図面の簡単な説明】
【００１４】
【図１】この考案のニット製帽子の１実施例を示す斜視図である。
【図２】編み順を示す概略説明図である。
【符号の説明】
【００１５】
１１  帽子体
１２，１３  帽状部
１４  頂部
Ａ  外表
Ｂ  外裏
Ｃ  内表
Ｄ  内裏
【図１】
0003128282.tif 000003
【図２】
0003128282.tif 000004